(57)【要約】      （修正有）【課題】簡単な構成により、ゴミや埃等の内部筐体への侵入を防ぎ、光学系移動ユニットが備える各ミラーに対するゴミや埃等の付着を防止できるとともに、画像の劣化を防止することができる画像読取装置を提供する。【解決手段】画像読取装置１の使用の際には、カバー部材７０、７１が挿通孔３０、３１に対して装着された状態から、止めネジ１８、１９に形成された回転用の溝部１８ｂ、１９ｂに、カバー部材７０、７１に形成された突出部７０ｃ、７１ｃを嵌合させ、次いで、カバー部材７０、７１を所定方向に回動する。そうすると、カバー部材７０と止めネジ１８、及び、カバー部材７１と止めネジ１９が、各々、Ｚ方向に一体となって移動し、止めネジ１８、１９のＺ方向へ押圧により、突起部７０ａ、７１ａと境界部３０ａ、３１ａの係合状態が解除され、カバー部材７０、７１の挿通孔３０、３１に対する装着状態が解除される。【選択図】図１２
2005123885.tif 000002
【特許請求の範囲】
【請求項１】
原稿からの反射光を更に反射させるミラーを保持する光学系移動ユニットと、装置本体の外装カバーと、装置本体の内部筐体とを備えるとともに、前記光学系移動ユニットを固定するための固定部材を前記光学系移動ユニット、外装カバー、及び内部筐体の各々に形成された孔に挿通し、前記固定部材を前記光学系移動ユニットに取り付けることにより、前記光学系移動ユニットを画像読取装置本体に固定する画像読取装置において、
前記外装カバーに形成された孔に対して押圧されることにより、前記外装カバーに形成された孔に着脱自在となるカバー部材を備えることを特徴とする画像読取装置。
【請求項２】
前記カバー部材は、前記外装カバーに形成された孔に対して回動自在に装着され、前記カバー部材の回動に連動して前記固定部材が回動することにより、前記カバー部材と前記固定部材が一体となって所定方向に移動することを特徴とする請求項１に記載の画像読取装置。
【請求項３】
前記カバー部材が、前記固定部材により押圧されることにより、前記カバー部材と前記固定部材が一体となって所定方向に移動し、前記カバー部材の前記外装カバーに形成された孔に対する装着状態が解除されることを特徴とする請求項１または請求項２に記載の画像読取装置。
【請求項４】
前記固定部材には溝部が形成されているとともに、前記カバー部材には突出部が形成されており、前記溝部に前記突出部が嵌合することにより、前記カバー部材の回動に連動して前記固定部材が回動可能となることを特徴とする請求項３に記載の画像読取装置。
【発明の詳細な説明】
【技術分野】
【０００１】
本発明は、スキャナとして単体で用いられたり、複写機やファクシミリ等に搭載されたりして、原稿の画像を読み取る画像読取装置に関する。
【背景技術】
【０００２】
一般に、画像読取装置は、原稿に対して光を照射し、その反射光を複数のミラーで反射させながら集光レンズを通してＣＣＤ等の読取デバイスに導き入れ、この読取デバイスで原稿の画像を電気信号として取得する（読み取る）ようになっている。
【０００３】
ここで、この様な画像読取装置においては、装置を輸送する際に画像読取装置内に設けられた光学系移動ユニットが激しく揺さぶられたり、振動したりして変形・破損する恐れがある。
【０００４】
そこで、上記不都合を回避すべく、従来より、上記光学系移動ユニットを装置本体に固定するための構造を有する画像読取装置が提案されている。この画像読取装置においては、光学系移動ユニットの移動方向と略平行となるように、外装カバー、及び内部筐体に形成された挿通孔に対して、光学系移動ユニットを固定するための固定部材を装置本体の外部より挿通するとともに、光学系移動ユニットの移動方向と略平行となるように光学系移動ユニットに形成されたネジ孔に上記固定部材をねじ込み、当該固定部材の締付力により光学系移動ユニットを装置本体に固定するようになっている（例えば、特許文献１参照）。
【特許文献１】特公平７−１０４５５８公報（第２−３頁、第２−４図）
【発明の開示】
【発明が解決しようとする課題】
【０００５】
しかし、上記従来の画像読取装置においては、輸送時における光学系移動ユニットの移動を規制し、光学系移動ユニット及びその周辺の部品の破損や変形を防止することはできるものの、上述のごとく、外装カバー、及び内部筐体に形成された挿通孔は、光学系移動ユニットの移動方向と略平行となるように形成されているため、固定部材を取り外して光学系移動ユニットの固定状態を解除し、画像読取装置を使用する場合において、上記挿通孔を経由して、外部からゴミや埃等が内部筐体内に非常に入りやすくなってしまい、結果として、光学系移動ユニットが備える各ミラーに当該ゴミや埃等が付着し、画像の劣化が発生するという不都合が生じていた。
【０００６】
そこで、本発明は、上記の問題に鑑みてなされたものであり、ゴミや埃等の内部筐体への侵入を防ぎ、光学系移動ユニットが備える各ミラーに対するゴミや埃等の付着を防止できるとともに、画像の劣化を防止することができる画像読取装置を提供することを目的とする。
【課題を解決するための手段】
【０００７】
上記目的を達成するため、請求項１に記載の画像読取装置は、原稿からの反射光を更に反射させるミラーを保持する光学系移動ユニットと、装置本体の外装カバーと、装置本体の内部筐体とを備えるとともに、光学系移動ユニットを固定するための固定部材を光学系移動ユニット、外装カバー、及び内部筐体の各々に形成された孔に挿通し、固定部材を光学系移動ユニットに取り付けることにより、光学系移動ユニットを画像読取装置本体に固定する画像読取装置において、外装カバーに形成された孔に対して押圧されることにより、外装カバーに形成された孔に着脱自在となるカバー部材を備えることを特徴とする。
【０００８】
又、請求項２に記載の画像読取装置は、カバー部材は、外装カバーに形成された孔に対して回動自在に装着され、カバー部材の回動に連動して固定部材が回動することにより、カバー部材と固定部材が一体となって所定方向に移動することを特徴とする。
【０００９】
又、請求項３に記載の画像読取装置は、カバー部材が、固定部材により押圧されることにより、カバー部材と固定部材が一体となって所定方向に移動し、カバー部材の外装カバーに形成された孔に対する装着状態が解除されることを特徴とする。
【００１０】
又、請求項４に記載の画像読取装置は、固定部材には溝部が形成されているとともに、カバー部材には突出部が形成されており、溝部に突出部が嵌合することにより、カバー部材の回動に連動して固定部材が回動可能となることを特徴とする。
【発明の効果】
【００１１】
本発明によれば、外装カバーに形成された孔に対して押圧されることにより、外装カバーに形成された孔に着脱自在となるカバー部材を備えているため、光学系移動ユニットを装置本体に固定し、画像読取装置を輸送する場合、及び、光学系移動ユニットの固定状態を解除し、画像読取装置を使用する場合のいずれにおいても、簡単な構成で、ゴミや埃等が外装カバー内や内部筐体内へ侵入するのを完全に防止することができる。
【００１２】
又、本発明によれば、カバー部材は、外装カバーに形成された孔に対して回動自在に装着され、カバー部材の回動に連動して固定部材が回動することにより、カバー部材と固定部材が一体となって所定方向に移動する構成としているため、光学系移動ユニットの固定状態を解除し、画像読取装置を使用する際に、外装カバーに形成された孔に対して装着されたカバー部材、及び光学系移動ユニットに取り付けられた固定部材の取り外し作業が容易になる。
【００１３】
又、本発明によれば、カバー部材が、固定部材により押圧されることにより、カバー部材と固定部材が一体となって所定方向に移動し、カバー部材の外装カバーに形成された孔に対する装着状態が解除されるため、光学系移動ユニットの固定状態を解除し、画像読取装置を使用する際に、外装カバーに形成された孔に対して装着されたカバー部材、及び光学系移動ユニットに取り付けられた固定部材を簡単な構成で取り外すことが可能になる。
【発明を実施するための最良の形態】
【００１４】
以下に、本発明の画像読取装置の実施形態について、図面を参照しながら詳述する。図１は、本発明の実施形態に係る画像読取装置の駆動機構を示す縦断面図であり、図２は、本発明の実施形態に係る画像読取装置の光学上の構成を示す縦断面図である。
【００１５】
図１、及び図２に示すように、画像読取装置１は、金属板で成形された外装カバー２から外形が構成され、左側板２ａ、右側板２ｂを有している。又、当該外装カバー２の内側には内部筐体７が設けられており、当該外装カバー２と内部筐体７により、画像読取装置本体１ａが構成されている。外装カバー２の上面には、原稿が載置されるコンタクトガラス３を備えている。また、外装カバー２内（又は、内部筐体７内）には、コンタクトガラス３に平行（即ち、矢印Ｘの方向）に往復移動可能となるように、相互に独立した第１、第２の光学系移動ユニット４、５が支持されている。
【００１６】
ここで先ず、光学上の詳細な構成について説明する。図１、及び図２に示すように、第１の光学系移動ユニット４は、各種部品を保持する第１の光学系支持部材４０を有しており、この第１の光学系支持部材４０が、コンタクトガラス３に載置された原稿に光を照射する光源であるランプ４１と、このランプ４１からの光を効率よく原稿に照射させるための反射板４２と、原稿からの反射光（以下、「原稿反射光」と記すことがある）を第２の光学系ユニット５に向けて更に反射させる第１のミラー４３とを備えている。他方、第２の光学系移動ユニット５は、各種部品を保持する第２の光学系支持部材５０を有しており、この第２の光学系支持部材５０が、第１のミラー４３からの原稿反射光を更に反射させて後述の画像読取ユニット６に導く第２、第３のミラー５１、５２を備えてなる。なお、図２において、原稿反射光の光路を一点鎖線で示す。
【００１７】
また、図２に示す様に、外装カバー２内（又は、内部筐体７内）の中央よりやや右側板２ｂ寄りには、上記した原稿反射光の光路の上流側から順に集光レンズ６０、及び読取デバイスであるＣＣＤ基板６１を有する画像読取ユニット６が配設されている。
【００１８】
この画像読取ユニット６は、集光レンズ６０及びＣＣＤ基板６１を含む各種部品が取り付けられる取付台６３を保持する基台６２を有しており、この基台６２が外装カバー２の底板上にネジ等で固定されている。基台６２の上面には、取付台６３がビス等で固定されており、この取付台６３の上面には、集光レンズ６０が固定された不図示のレンズ固定板と、ＣＣＤ基板６１が固定されたＣＣＤ固定板６４を連結したＣＣＤ連結板６５とが取り付けられている。
【００１９】
但し、これらのレンズ固定板とＣＣＤ連結板６５は、集光レンズ６０で集光された原稿反射光のＣＣＤ基板６１に対する焦点距離が一律になるように、それぞれ原稿反射光の光軸方向に調整が可能になっている。また、原稿反射光の光軸に対するＣＣＤ基板６１の高さ調整用として、ＣＣＤ固定板６４を貫通してＣＣＤ連結板６５に螺合する高さ調整ネジ６６と、この高さ調整ネジ６６を挿通させつつＣＣＤ固定板６４とＣＣＤ連結板６５との間に介装された圧縮コイルバネ６７とが設けられており、高さ調整ネジ６６のねじ込み度合いにより、ＣＣＤ固定板６４が圧縮コイルバネ６７の弾発力を受けながらＣＣＤ連結板６５に対して上下移動することで、結果としてＣＣＤ基板６１の高さが調整されるようになっている。尚、ＣＣＤ固定板６４には、ＣＣＤ基板６１を取り囲むＣＣＤカバー６８がガスケット６９を介して固定されている。
【００２０】
次に、第１、第２の光学系移動ユニット４、５の往復移動を駆動するための詳細な構成について説明する。第１、第２の光学系移動ユニット４、５は、原稿全域に亘って走査すべく往復移動せられるわけであるが、その際、第１の光学系移動ユニット４は、第２の光学系移動ユニット５に対して常時２倍の速度で往復移動するようになっており、これにより原稿反射光のＣＣＤ基板６１に対する焦点距離、すなわち原稿反射光の光路長が常に一定にされている。このような往復移動は、以下に示す構成で達成できる。
【００２１】
図１、図２に示すように、画像読取ユニット６の後方（右側板２ｂ寄り）には、回転可能に支持された回転軸８が配設されている。この回転軸８の近傍には、第１、第２の光学系移動ユニット４、５の往復移動を司るワイヤ９が巻き付けられたドラム８０が、同軸状で一体的に固定されている。
【００２２】
更に、回転軸８の一端部には、ジョイントプーリ８１が連結されており、このジョイントプーリ８１に張架されたベルト１１によって駆動モータ等の駆動源から駆動が伝達される。即ち、外装カバー２の後側（図１では紙面の奥側）の外方には、回転軸８の回転の駆動源となる駆動モータ１０が配設されるとともに、この駆動モータ１０の出力軸には、回転軸８に連結されたジョイントプーリ８１との間で、ベルト１１が張架されており、このベルト１１によって駆動モータ１０の回転出力が回転軸８に伝達される。なお、ジョイントプーリ８１、及びベルト１１に代えて、歯車で駆動力伝達媒体を構成する場合もある。
【００２３】
また、外装カバー２内の左方側から順に、内部筐体７の左側板７ａに突設された第１の掛け具１２、外装カバー２の前後両側板（不図示）に軸支された第１のプーリ１３、第２の光学系移動枠体５０に軸支された第２のプーリ１４、画像読取ユニット６の基台６２に突設された第２の掛け具１５、及び右側板２ｂに突設されて軸支された第３のプーリ１６が設けられている。更に、第１、第２の光学系移動ユニット４、５各々の往復移動をガイドするガイドレール１７が、コンタクトガラス３と平行に延在するよう設けられている。
【００２４】
そして、実際に第１、第２の光学系移動ユニット４、５の往復移動を司るワイヤ９は、図１に示すように、第１の掛け具１２に一端が固定され、一旦第２のプーリ１４に掛けられた後、第１のプーリ１３に掛けられ、更に回転軸８のドラム８０に複数回巻き付けられた後、第３のプーリ１６に掛けられて戻り、次いで、第１の光学系移動枠体４０が固着され、再び第２のプーリ１４に掛けられて、第２の掛け具１５に他端が固定され、張設されてなる。
【００２５】
この様な構成のもと、駆動モータ１０の出力軸が正回転又は逆回転することにより、回転軸８とともにドラム８０が正回転又は逆回転し、これに伴ってワイヤ９が移動せしめられ、第１、第２の光学系移動ユニット４、５が、所定の速度比を維持しながら往復移動する。これにより、原稿全域に亘って、第１、第２の光学系移動ユニット４、５が原稿面と平行に往復移動し、原稿の画像が読み取られる構成となっている。
【００２６】
尚、上記した画像読取装置１は、実際に走査する光学系移動ユニットとは別体に、読取デバイスであるＣＣＤ基板６１（集光レンズ６０も含む）が外装カバー２に固定された、いわゆる別体型のものであるが、ＣＣＤ基板６１が光学系移動ユニットに固定されてこれと一体的に走査する、いわゆる一体型のものもある。
【００２７】
次に、本発明の実施形態に係る画像読取装置における光学系移動ユニットの固定について、図面を参照しながら詳述する。本実施形態においては、第１、第２の光学系移動ユニット４、５を固定する際の固定部材として止めネジ１８、１９を用い、第１、第２の光学系移動ユニット４、５を固定する際に、当該止めネジ１８、１９を第１、第２の光学系移動ユニット４、５の往復移動方向（図中のＸ方向）に平行な方向から取り付けるが、外装カバー２に形成された挿通孔３０、３１に対して着脱自在なカバー部材７０、７１を設けるとともに、カバー部材７０、７１と止めネジ１８、１９が一体となって所定方向に移動する点に特徴がある。この特徴に関して、以下に詳細に説明する。
【００２８】
図３、図４は、本発明の実施形態に係る画像読取装置の固定機構を示す縦断面図である。図３に示す様に、外装カバー２の左側板２ａには、挿通孔３０、３１が形成されており、内部筐体７の左側板７ａには、挿通孔３２、３３が形成されている。又、止めネジ１８、１９は、各々ネジ部１８ａ、１９ａを有するとともに、上記止めネジ１８、１９には、回転用の溝部（即ち、スリワリ）１８ｂ、１９ｂが形成されている。
【００２９】
又、第１の光学系支持部材４０には、内部筐体７と当接する折曲部４１が設けられており、当該折曲部４１には、挿通孔３２に対応する位置にネジ孔４２が形成されている。又、同様に、第２の光学系支持部材５０には、内部筐体７と当接する折曲部５１が設けられており、当該折曲部５１には、挿通孔３３に対応する位置にネジ孔５２が形成されている。
【００３０】
そして、第１、第２の光学系移動ユニット４、５を固定する際には、まず、外装カバー２の外部から、止めネジ１８を挿通孔３０、３２に挿通するとともに、止めネジ１９を挿通孔３１、３３に挿通する。次いで、第１の光学系支持部材４０に形成されたネジ孔４２にネジ部１８ａを螺合させることにより、止めネジ１８をネジ孔４２に挿通させ、第１の光学系支持部材４０を内部筐体７に対して取り付けることにより、第１の光学系移動ユニット４を画像読取装置本体１ａに固定するとともに、第２の光学系支持部材５０に形成されたネジ孔５２にネジ部１９ａを螺合させることにより、止めネジ１９をネジ孔５２に挿通させ、第２の光学系支持部材５０を内部筐体７に対して取り付けることにより、第２の光学系移動ユニット５を画像読取装置本体１ａに固定する構成となっている。第１、第２の光学系移動ユニット４、５を画像読取装置本体１ａに固定した状態を図４に示す。
【００３１】
以上の構成により、輸送時における第１、第２の光学系移動ユニット４、５の移動が規制され、第１、第２の光学系移動ユニット４、５及びその周辺の部品の破壊、更には、第１、第２の光学系移動ユニット４、５内部の投影光学系の光軸のズレ等を抑制することが可能になる。
【００３２】
ここで、本実施形態においては、図５、図６に示す様に、外装カバー２に形成された挿通孔３０、３１を塞ぐためのカバー部材７０、７１を外装カバー２に設ける構成としている。図７〜図９は、本実施形態におけるカバー部材７０、７１の構成を説明するための図であり、図７は、カバー部材７０、７１の正面図、図８は、図７に示すカバー部材７０、７１のＡ−Ａ断面図、図９は、図７に示すカバー部材７０、７１のＢ−Ｂ断面図である。
【００３３】
このカバー部材７０、７１には、図７〜図９に示す様に、各々、突起部７０ａ、７１ａ、及び突起部７０ｂ、７１ｂが複数個（本実施形態においては、各々２個）形成されるとともに、当該カバー部材７０、７１の弾性力を増すための切り欠き部７０ｅ、７１ｅが複数個（本実施形態においては、４個）形成されている。又、カバー部材７０、７１には、その裏面側に突出部７０ｃ、７１ｃが形成されているとともに、その表面側には、回転用の溝部（即ち、スリワリ）７０ｄ、７１ｄが形成されている。尚、カバー部材７０、７１は、例えば、ＡＢＳ等の樹脂により形成されている。
【００３４】
カバー部材７０、７１を、各々、挿通孔３０、３１に装着する際には、まず、図５に示す様に、外装カバー２の左側板２ａ側から、カバー部材７０、７１を、各々、挿通孔３０、３１に対して押圧により挿入する。この際、カバー部材７０、７１は、図５に示す様に、カバー部材７０、７１に設けられた突出部７０ｃ、７１ｃの長手方向が、紙面手前側から奥側の方向となるように、即ち、突起部７０ａ、７１ａの方向が、第１、第２の光学系移動ユニット４、５の往復移動方向（即ち、Ｘ方向）対して略垂直の方向となるように、カバー部材７０、７１が挿通孔３０、３１に挿入される。
【００３５】
そうすると、突起部７０ａ、７１ａが挿通孔３０、３１を通過し、図６に示す様に、突起部７０ａ、７１ａと、外装カバー２の左側板２ａの一部である挿通孔３０、３１との境界部３０ａ、３１ａが係合するため、カバー部材７０、７１が、各々、挿通孔３０、３１に係止され、結果として、カバー部材７０、７１が挿通孔３０、３１に対して装着されることになる。尚、カバー部材７０、７１は、挿通孔３０、３１に対して、所定の方向（図７に示した矢印の方向）に回動自在に装着される。
【００３６】
以上より、この構成によれば、止めネジ１８、１９により第１、第２の光学系移動ユニット４、５を装置本体１ａに固定し、画像読取装置１を輸送する場合において、カバー部材７０、７１が挿通孔３０、３１に対して装着されることにより、カバー部材７０、７１が挿通孔３０、３１を塞ぐ構成としているため、ゴミや埃等が外部カバー２内や内部筐体７内に入るのを完全に防止することができる。従って、第１、第２の光学系移動ユニット４、５が備える第１、第２、及び第３ミラー４３，５１、５２に対する当該ゴミや埃等の付着を防止することが可能になるため、結果として、画像の劣化を確実に防止することができるようになる。
【００３７】
次に、止めネジ１８、１９の取り外し機構についての説明を行う。図１０〜図１２は、本発明の実施形態に係る画像読取装置における止めネジの取り外し機構を説明するための縦断面図である。
【００３８】
止めネジ１８、１９を取り外すことにより、第１、第２の光学系移動ユニット４、５の固定状態を解除し、画像読取装置１を使用する際には、まず図６に示す様に、上述のカバー部材７０、７１が挿通孔３０、３１に対して装着された状態から、カバー部材７０、７１を矢印Ｙの方向に押圧する。そうすると、図１０に示す様に、止めネジ１８、１９に形成された回転用の溝部１８ｂ、１９ｂに、カバー部材７０、７１に形成された突出部７０ｃ、７１ｃが嵌合した状態になる。
【００３９】
尚、図示はしていないが、上述のごとく、カバー部材７０、７１に複数の突起部７０ｂ、７１ｂを設ける構成としているため、止めネジ１８、１９に形成された回転用の溝部１８ｂ、１９ｂに、カバー部材７０、７１に形成された突出部７０ｃ、７１ｃを嵌合させる際に、突起部７０ｂ、７１ｂと挿通孔３０、３１が形成された外装カバー２の左側板２ａの一部が係合するため、カバー部材７０、７１の矢印Ｙ方向への移動が規制され、カバー部材７０、７１の傾きやガタツキを防止することができ、回転用の溝部１８ｂ、１９ｂに突出部７０ｃ、７１ｃを確実に嵌合させることが可能になる。
【００４０】
次に、上述のごとく、カバー部材７０、７１は、挿通孔３０、３１に対して、所定の方向（図７に示した矢印の方向）に回動自在に装着されているため、カバー部材７０、７１に形成された回転用の溝部７０ｄ、７１ｄにドライバー等の回動用工具を挿入し、当該回動用工具を上記所定の方向に回動させると、上述のごとく、止めネジ１８、１９に形成された回転用の溝部１８ｂ、１９ｂに、カバー部材７０、７１に形成された突出部７０ｃ、７１ｃが嵌合した状態にあるため、カバー部材７０、７１が矢印の方向に回動するとともに、当該カバー部材７０、７１の回動に連動して止めネジ１８、１９が回動し、カバー部材７０、７１が、各々、止めネジ１８、１９により押圧され、カバー部材７０と止めネジ１８、及び、カバー部材７１と止めネジ１９が、各々、図１０に示したＺ方向に一体となって移動し始め、図１１に示す状態、即ち、カバー部材７０、７１が、図６において説明した、突起部７０ａ、７１ａと境界部３０ａ、３１ａが係合し、挿通孔３０、３１に対して装着された状態となる。そして、この状態下で、カバー部材７０、７１を上述の所定の方向に更に回動すると、当該カバー部材７０、７１の回動に連動して止めネジ１８、１９も更に回動し、カバー部材７０、７１が、各々、止めネジ１８、１９によりＺ方向へ更に押圧されるため、カバー部材７０と止めネジ１８、及び、カバー部材７１と止めネジ１９が、各々、図１１に示したＺ方向に一体となって移動する。その結果、突起部７０ａ、７１ａと境界部３０ａ、３１ａの係合状態が解除され、最終的には、図１２に示す様に、カバー部材７０、７１の挿通孔３０、３１に対する装着状態が解除されることになる。この際、上述のごとく、カバー部材７０、７１には、弾性力を増すための切り欠き部７０ｅ、７１ｅが複数個形成されているため、カバー部材７０、７１の挿通孔３０、３１に対する装着状態を容易に解除することが可能になる。そして、装着されたカバー部材７０、７１が挿通孔３０、３１から取り外されることになる。本実施形態においては、この様に、カバー部材７０、７１が挿通孔３０、３１に対して押圧されることにより、当該カバー部材７０、７１が挿通孔３０、３１に着脱自在となる構成を採用している。
【００４１】
そして、図１２に示した状態から止めネジ１８、１９を取り外すことにより、第１、第２の光学系移動ユニット４、５の固定状態が解除され、画像読取装置１を使用可能な状態（即ち、図３に示した状態）とすることができる。
【００４２】
以上より、本実施形態においては、カバー部材７０、７１は、外装カバー２に形成された挿通孔３０、３１に対して回動自在に装着され、カバー部材７０、７１の回動に連動して止めネジ１８、１９が回動することにより、カバー部材７０、７１と止めネジ１８、１９が一体となって所定方向（即ち、Ｚ方向）に移動する構成としているため、第１、第２の光学系移動ユニット４、５の固定状態を解除し、画像読取装置１を使用する際に、挿通孔３０、３１に対して装着されたカバー部材７０、７１、及び第１、第２の光学系移動ユニット４、５に取り付けられた止めネジ１８、１９の取り外し作業が容易になる。
【００４３】
特に、本実施形態においては、カバー部材７０、７１を図７に示した矢印の方向に回動すると、当該カバー部材７０、７１の回動に連動して止めネジ１８、１９が回動し、カバー部材７０、７１が、各々、止めネジ１８、１９により押圧され、カバー部材７０と止めネジ１８、及び、カバー部材７１と止めネジ１９が、各々、図１０に示したＺ方向に一体となって移動し、カバー部材７０、７１の挿通孔３０、３１に対する装着状態が解除されるため、第１、第２の光学系移動ユニット４、５の固定状態を解除し、画像読取装置１を使用する際に、挿通孔３０、３１に対して装着されたカバー部材７０、７１、及び第１、第２の光学系移動ユニット４、５に取り付けられた止めネジ１８、１９を簡単な構成で取り外すことが可能になる。
【００４４】
ここで、上述のごとく、外装カバー２、及び内部筐体７の各々に形成された挿通孔３０〜３３は、第１、第２の光学系移動ユニット４、５の移動方向と略平行となるように形成されているため、図３に示した状態で画像読取装置１を使用すると、上記挿通孔３０〜３３を経由して、外部からゴミや埃等が内部筐体７内に入りやすくなってしまう。
【００４５】
そこで、本実施形態においては、図１３に示す様に、図３に示した状態において、カバー部材７０、７１を挿通孔３０、３１に対して、上述の方法により、再度，装着する構成としている。従って、この構成によれば、止めネジ１８、１９を取り外して第１、第２の光学系移動ユニット４、５の固定状態を解除し、画像読取装置１を使用する場合においても、カバー部材７０、７１が挿通孔３０、３１に対して装着されることにより、カバー部材７０、７１が挿通孔３０、３１を塞ぐ構成としているため、ゴミや埃等が外装カバー２内や内部筐体７内に入るのを完全に防止することができ、第１、第２の光学移動ユニット４、５が備える第１、第２、及び第３ミラー４３，５１、５２に対する当該ゴミや埃等の付着を防止することが可能になるため、結果として、画像の劣化を確実に防止することができるようになる。
【００４６】
又、本実施形態においては、カバー部材７０、７１を、挿通孔３０、３１に対して着脱自在に設ける構成としているため、第１、第２の光学系移動ユニット４、５を装置本体１ａに固定し、画像読取装置１を輸送する場合、及び、第１、第２の光学系移動ユニット４、５の固定状態を解除し、画像読取装置１を使用する場合のいずれにおいても、ゴミや埃等が外装カバー２内や内部筐体７内へ侵入するのを完全に防止することができる。
【００４７】
更に、本実施形態においては、カバー部材７０、７１が押圧されることにより、当該カバー部材７０、７１が挿通孔３０、３１に対して着脱自在となる構成を採用しているため、簡単な構成で、ゴミや埃等が外装カバー２内や内部筐体７内へ侵入するのを完全に防止することができる。
【００４８】
尚、本発明は、上記実施形態に限定されるものではなく、本発明の趣旨に基づいて各部の構造、形状等を適宜変更することが可能であり、それらを本発明の範囲から除外するものではない。
【００４９】
例えば、カバー部材７０、７１の装着機構において、上述の実施形態においては、外装カバー２の左側板２ａ側から、カバー部材７０、７１を、各々、挿通孔３０、３１に対して押圧により挿入し、装着する構成としたが、カバー部材７０、７１を所定の方向に回動させることにより、突起部７０ａ、７１ａと境界部３０ａ、３１ａを係合させ、カバー部材７０、７１を挿通孔３０、３１に係止させることにより、カバー部材７０、７１を、各々、挿通孔３０、３１に装着する構成としても良い。
【産業上の利用可能性】
【００５０】
本発明の活用例としては、スキャナとして単体で用いられたり、複写機やファクシミリ等に搭載されたりして、原稿の画像を読み取る画像読取装置が挙げられる。
【図面の簡単な説明】
【００５１】
【図１】は、本発明の実施形態に係る画像読取装置の駆動機構を示す縦断面図である。
【図２】は、本発明の実施形態に係る画像読取装置の光学上の構成を示す縦断面図である。
【図３】は、本発明の実施形態に係る画像読取装置の固定機構を示す縦断面図である。
【図４】は、本発明の実施形態に係る画像読取装置の固定機構を示す縦断面図である。
【図５】は、本発明の実施形態に係る画像読取装置におけるカバー部材を取り付ける際の状態を示す縦断面図である。
【図６】は、本発明の実施形態に係る画像読取装置におけるカバー部材を取り付けた状態を示す縦断面図である。
【図７】は、本発明の実施形態に係る画像形成装置におけるカバー部材の正面図である。
【図８】は、図７に示すカバー部材のＡ−Ａ断面図である。
【図９】は、図７に示すカバー部材のＢ−Ｂ断面図である。
【図１０】は、本発明の実施形態に係る画像形成装置における止めネジの取り外し機構を説明するための縦断面図である。
【図１１】は、本発明の実施形態に係る画像形成装置における止めネジの取り外し機構を説明するための縦断面図である。
【図１２】は、本発明の実施形態に係る画像形成装置における止めネジの取り外し機構を説明するための縦断面図である。
【図１３】は、本発明の実施形態に係る画像形成装置における第１、第２の光学系移動ユニットの固定状態を解除し、画像読取装置を使用可能な状態にした場合において、カバー部材を、再度、装着した状態を示す縦断面図である。
【符号の説明】
【００５２】
１    画像読取装置
１ａ  画像読取装置本体
２    外装カバー
４    第１の光学系移動ユニット
５    第２の光学系移動ユニット
７    内部筐体
１８、１９    止めネジ
１８ｂ、１９ｂ    回転用の溝部
３０、３１    挿通孔
３２、３３    挿通孔
４０    第１の光学系移動枠体
４２    ネジ孔
５０    第２の光学系移動枠体
５２    ネジ孔
７０、７１    カバー部材
７０ａ、７１ａ    突起部
７０ｂ、７１ｂ    突起部
７０ｃ、７１ｃ    突出部
７０ｄ、７１ｄ    回転用の溝部
７０ｅ、７１ｅ    切り欠き部
【図１】
2005123885.tif 000003
【図２】
2005123885.tif 000004
【図３】
2005123885.tif 000005
【図４】
2005123885.tif 000006
【図５】
2005123885.tif 000007
【図６】
2005123885.tif 000008
【図７】
2005123885.tif 000009
【図８】
2005123885.tif 000010
【図９】
2005123885.tif 000011
【図１０】
2005123885.tif 000012
【図１１】
2005123885.tif 000013
【図１２】
2005123885.tif 000014
【図１３】
2005123885.tif 000015